(57)【要約】【課題】本発明は、製造が容易であるばかりか、二重ビニールシート全般にわたって同一の保温及び断熱効果が得られるビニールハウス用二重ビニールシートを提供するためのものである。【解決手段】上下に積層されるように配置されながら内部には外部から空気が注入されて空気層が形成され得るように縁が互いに接合される上部ビニールシートと下部ビニールシートを有するシート部材；及び、薄い糸または帯状に製作されると共に上下方向に連続したジグザグ状を有しながらシート部材の長手方向または幅方向に延びる一つ以上の間隔維持部材；を含み、間隔維持部材の山は上部ビニールシートの下部面上に接合され、間隔維持部材の谷は下部ビニールシートの上部面上に接合されて、空気層の高さを同一に維持することができるようにする。【選択図】図２
2016517688.tif 000002
【特許請求の範囲】
【請求項１】
上下に積層されるように配置されながら内部には外部から空気が注入されて空気層が形成され得るように縁が互いに接合される上部ビニールシートと下部ビニールシートを有するシート部材；及び、薄い糸または帯状に製作されると共に上下方向に連続したジグザグ状を有しながら上記シート部材の長手方向または幅方向に延びる一つ以上の間隔維持部材；を含み、上記間隔維持部材の山は上記上部ビニールシートの下部面上に接合され、上記間隔維持部材の谷は上記下部ビニールシートの上部面上に接合されて、上記空気層の高さを同一に維持するビニールハウス用二重ビニールシート。
【請求項２】
上記シート部材は、互いに接合された上記上部ビニールシート及び上記下部ビニールシートの縁の一側に配置され、上記上部ビニールシート及び上記下部ビニールシートの内部に空気を注入するための注入チューブを更に含み、上記注入チューブは、一端が上記上部ビニールシート及び上記下部ビニールシートの内部に配置され、他端は上記上部ビニールシート及び上記下部ビニールシートの外側に配置されて、上記上部ビニールシート及び上記下部ビニールシートに接合される請求項１に記載のビニールハウス用二重ビニールシート。
【請求項３】
いずれか一つの上記間隔維持部材の上記山及び上記谷と、隣に配置される他の間隔維持部材の上記山及び上記谷は、互い違いに上記上部ビニールシートの下部面及び上記下部ビニールシートの上部面に接合される請求項１に記載のビニールハウス用二重ビニールシート。
【請求項４】
上下に積層されるように配置されながら内部には外部から空気が注入されて空気層が形成され得るように縁が互いに接合される上部ビニールシートと下部ビニールシートを有するシート部材；及び、垂直の膜状に製作される共に上記シート部材の長手方向または幅方向に延びる一つ以上の間隔維持部材；を含み、上記間隔維持部材の上部は上記上部ビニールシートの下部面上に接合され、上記間隔維持部材の下部は上記下部ビニールシートの上部面上に接合されて、上記空気層の高さを同一に維持するビニールハウス用二重ビニールシート。
【請求項５】
上記シート部材は、互いに接合された上記上部ビニールシート及び上記下部ビニールシートの縁の一側に配置され、上記上部ビニールシート及び上記下部ビニールシートの内部に空気を注入するための注入チューブを更に含み、上記注入チューブは、一端が上記上部ビニールシート及び上記下部ビニールシートの内部に配置され、他端は上記上部ビニールシート及び上記下部ビニールシートの外側に配置されて、上記上部ビニールシート及び上記下部ビニールシートに接合される請求項４に記載のビニールハウス用二重ビニールシート。
【請求項６】
上記間隔維持部材には、上記間隔維持部材の長手方向に沿って多数の貫通孔が形成され、いずれか一つの上記間隔維持部材に形成された上記貫通孔と隣に配置される他の上記間隔維持部材に形成された上記貫通孔とは、互い違いに形成される請求項４に記載のビニールハウス用二重ビニールシート。
【発明の詳細な説明】
【技術分野】
【０００１】
本発明は、ビニールハウス用二重ビニールシートに関し、より詳しくは、製造が容易であるばかりか、二重ビニールシート全般にわたって同一の保温及び断熱効果が得られるビニールハウス用二重ビニールシートに関する。
【背景技術】
【０００２】
ビニールハウスは設置費用が安価で施工が容易に可能なことから、農家で広く利用されている施設である。
【０００３】
このようなビニールハウスは、ガラス温室に比べて光透過性、保温性、環境制御、安全性などが多少劣りはするが、冬季に暖房と保温をして果菜類や葉菜類、花卉類のような作物を栽培することができるため、現在最も重要な園芸施設として全国で利用されている。
【０００４】
最近は、ビニールハウス内部の暖房のためのエネルギーコストを節減するために、ビニールハウス内部の保温及び断熱性能を向上させるための様々な方法が開発されているのが実情である。その代表的な例としては“韓国登録実用新案第０３８８７８６号”、“韓国登録実用新案第０２３０２９３号”、及び“韓国登録特許第１１４０９７１号”が挙げられる。
【０００５】
これら“韓国登録実用新案”及び“韓国登録特許”では、ビニールハウス内部の保温性及び断熱性の維持を可能にする被覆材が開示されている。すなわち、上述の“韓国登録実用新案”及び“韓国登録特許”では、上部及び下部ビニールシートの縁と共に内部を所定の間隔で接合し、上部及び下部ビニールシートの間に空気層が形成されるようにする二重構造のビニールハウス用被覆材が開示されている。
【０００６】
ところが、上述の“韓国登録実用新案”に開示されている従来の被覆材は、空気層を形成するために上部及び下部ビニールシートを接合するため、接合部位では空気層のような保温及び断熱効果を期待することができないとの問題点があった。
【０００７】
また、上述の“韓国登録特許”に開示されている従来の被覆材は、上部及び下部ビニールシートを連結する仕切り部材を用いて空気層を形成するため、空気層が互いに連結されず、各々の空気層に空気を注入しなければならない問題点があるばかりか、被覆材の製造が容易ではないとの問題点があった。
【発明の概要】
【発明が解決しようとする課題】
【０００８】
本発明は、製造が容易であるばかりか、二重ビニールシートの全般にわたって同一の保温及び断熱効果を得ることができるビニールハウス用二重ビニールシートを提供するためのものである。
【０００９】
本発明の解決しようとする技術的課題は、以上で言及した技術的課題に制限されない。
【課題を解決するための手段】
【００１０】
上記課題を達成するための本発明の第１実施例によるビニールハウス用二重ビニールシートは、上下に積層されるように配置されながら内部には外部から空気が注入されて空気層が形成され得るように縁が互いに接合される上部ビニールシートと下部ビニールシートを有するシート部材；及び、薄い糸または帯状に製作されると共に上下方向に連続したジグザグ状を有しながらシート部材の長手方向または幅方向に延びる一つ以上の間隔維持部材；を含み、間隔維持部材の山は上部ビニールシートの下部面上に接合され、間隔維持部材の谷は下部ビニールシートの上部面上に接合されて、空気層の高さを同一に維持することができる。
【００１１】
具体的に、シート部材は、互いに接合された上部ビニールシート及び下部ビニールシートの縁の一側に配置され、上部ビニールシート及び下部ビニールシートの内部に空気を注入するための注入チューブを更に含み、注入チューブは、一端が上部ビニールシート及び下部ビニールシートの内部に配置され、他端は上部ビニールシート及び下部ビニールシートの外側に配置されて、上部ビニールシート及び下部ビニールシートに接合されることができる。
【００１２】
具体的に、いずれか一つの間隔維持部材の山及び谷と、隣に配置される他の間隔維持部材の山及び谷は、互い違いに上部ビニールシートの下部面及び上記下部ビニールシートの上部面に接合されることができる。
【００１３】
本発明の第２実施例によるビニールハウス用二重ビニールシートは、上下に積層されるように配置されながら内部には外部から空気が注入されて空気層が形成され得るように縁が互いに接合される上部ビニールシートと下部ビニールシートを有するシート部材；及び、垂直の膜状に製作される共にシート部材の長手方向または幅方向に延びる一つ以上の間隔維持部材；を含み、間隔維持部材の上部は上部ビニールシートの下部面上に接合され、間隔維持部材の下部は下部ビニールシートの上部面上に接合されて、空気層の高さを同一に維持することができる。
【００１４】
具体的に、シート部材は、互いに接合された上部ビニールシート及び下部ビニールシートの縁の一側に配置され、上部ビニールシート及び下部ビニールシートの内部に空気を注入するための注入チューブを更に含み、注入チューブは、一端が上部ビニールシート及び下部ビニールシートの内部に配置され、他端は上部ビニールシート及び下部ビニールシートの外側に配置されて、上部ビニールシート及び下部ビニールシートに接合されることができる。
【００１５】
具体的に、間隔維持部材は、間隔維持部材の長手方向に沿って多数の貫通孔が形成され、いずれか一つの間隔維持部材に形成された貫通孔と隣に配置される他の間隔維持部材に形成された貫通孔とは、互い違いに形成されることができる。
【発明の効果】
【００１６】
以上、説明したように、本発明によるビニールハウス用二重ビニールシートは、シート部材内部に密閉された空気層を形成すると共に、形成されるシート部材内部に間隔維持部材を備えることにより、シート部材全般にわたって空気層の高さを均一に維持できるばかりか、それによりシート部材全般にわたって同一の保温及び断熱効果を得ることができるという利点がある。
【００１７】
また、本発明によるビニールハウス用二重ビニールシートは、シート部材に暖かい空気を注入して空気層を形成することができるため、冬季に本発明による二重ビニールシートに積もった雪を容易に除去できるという利点がある。
【図面の簡単な説明】
【００１８】
【図１】本発明の第１実施例によるビニールハウス用二重ビニールシートを示した斜視図である。
【図２】空気層が形成された、図１に示された二重ビニールシートを一部切開して内部を示した部分切開斜視図である。
【図３】本発明の第１実施例によるビニールハウス用二重ビニールシートの使用状態を示した図面である。
【図４】本発明の第２実施例によるビニールハウス用二重ビニールシートを示した斜視図である。
【図５】空気層が形成された、図３に示された二重ビニールシートを一部切開して内部を示した部分切開斜視図である。
【発明を実施するための形態】
【００１９】
以下、添付図面を参照しながら本発明の望ましい実施例を詳しく説明する。図面中の同一の構成要素については、可能な限りどの図面でも同一の符号で表示する。また、本発明の要旨を不要に不明瞭にし得る公知の機能及び構成に関する詳しい説明は省略する。
【００２０】
図１は、本発明の第１実施例によるビニールハウス用二重ビニールシートを示した斜視図であり、本発明の第１実施例によるビニールハウス用二重ビニールシート１００は、外部から空気が注入されて内部に空気層１１６を形成するシート部材１１０、及びシート部材１１０の内部に備えられ空気層１１６の高さを同一に維持する間隔維持部材１２０を含んでなる。
【００２１】
先ず、シート部材１１０は、積層されるように対向する上部ビニールシート１１２及び下部ビニールシート１１４を含む。
【００２２】
上部ビニールシート１１２及び下部ビニールシート１１４は、赤外線と可視光線が透過されるように透明なフィルム、例えば、塩化ビニルフィルム、ポリエチレンフィルム、酢酸ビニルフィルムなどのビニール素材で製作される。また、上部ビニールシート１１２及び下部ビニールシート１１４は、所定の幅及び所定の長さを有する薄いビニール膜形態に製作される。
【００２３】
このような上部ビニールシート１１２及び下部ビニールシート１１４は、図示の如く積層されるように配置、即ち、上部ビニールシート１１２の下部面と下部ビニールシート１１４の上部面は互いに対向するように配置される。この時、上部ビニールシート１１２及び下部ビニールシート１１４の縁は互いに接合されるが、このように上部ビニールシート１１２及び下部ビニールシート１１４の縁が互いに接合されることにより、上部ビニールシート１１２及び下部ビニールシート１１４の内部には外部から注入される空気により空気層１１６が形成される。
【００２４】
一方、互いに接合された上部ビニールシート１１２及び下部ビニールシート１１４の縁の一側には、上部ビニールシート１１２及び下部ビニールシート１１４の内部に空気を注入するための注入チューブ１１８が備えられる。
【００２５】
注入チューブ１１８は、上部及び下部ビニールシート１１２，１１４と同一の材質で製作されると共に両端が開放された形状を有する。このような注入チューブ１１８は、上部ビニールシート１１２及び下部ビニールシート１１４の縁接合時、一端は上部ビニールシート１１２及び下部ビニールシート１１４の内部に配置され、他端は上部ビニールシート１１２及び下部ビニールシート１１４の外側に配置された状態で上部ビニールシート１１２及び下部ビニールシート１１４に接合される。
【００２６】
ここで、上部ビニールシート１１２と下部ビニールシート１１４、そして注入チューブ１１８と上部及び下部ビニールシート１１２，１１４は、通常の熱融着方法、または通常の接着剤によって接合される。
【００２７】
一方、間隔維持部材１２０は、上部ビニールシート１１２及び下部ビニールシート１１４の縁及び注入チューブ１１８に干渉されないように上部ビニールシート１１２と下部ビニールシート１１４との間に一つ以上配置される。ここで間隔維持部材１２０は、図１及び図２に示されているように、シート部材１１０の長手方向に沿って形成されるか、またはシート部材１１０の幅方向に沿って形成されることができる。
【００２８】
このような間隔維持部材１２０は、上部及び下部ビニールシート１１２，１１４と同一の材質で製作されながら図示の如く薄い糸または帯状に製作され、上下方向に連続したジグザグ（zigzag）状を有しながら延びる。この時、間隔維持部材１２０の高い部分、即ち間隔維持部材１２０の各々の山１２２は、上部ビニールシート１１２の下部面上に接合され、間隔維持部材１２０の低い部分、即ち間隔維持部材１２０の各々の谷１２４は、下部ビニールシート１１４の上部面上に接合される。
【００２９】
そして、いずれか一つの間隔維持部材１２０と隣に配置される他の間隔維持部材１２０とは、互い違いに上部ビニールシート１１２及び下部ビニールシート１１４に接合される。即ち、いずれか一つの間隔維持部材１２０の山１２２と隣の他の間隔維持部材１２０の山１２２とは、二重ビニールシート１００を上方から見たとき、ジグザグ（zigzag）形態になるように上部ビニールシート１１２に接合され、同様にいずれか一つの間隔維持部材１２０の谷１２４と隣の他の間隔維持部材１２０の谷１２４とは、二重ビニールシート１００を底面から見たとき、ジグザグ（zigzag）形態になるように下部ビニールシート１１４に接合される。このように形成された間隔維持部材１２０は、注入チューブ１１８を通して注入された空気の流れを妨害せずに、注入された空気によって形成される空気層１１６の高さを同一に維持する。
【００３０】
望ましくは、間隔維持部材１２０は、通常の熱融着方法、または通常の接着剤によって上部ビニールシート１１２及び下部ビニールシート１１４に接合される。
【００３１】
図３は、本発明の第２実施例によるビニールハウス用二重ビニールシートを示した斜視図であり、本発明の第２実施例によるビニールハウス用二重ビニールシート２００は、第１実施例と同一のシート部材１１０に備えられる間隔維持部材２２０を含んでなる。
【００３２】
間隔維持部材２２０は、上部ビニールシート１１２及び下部ビニールシート１１４の縁及び注入チューブ１１８に干渉されないように、上部ビニールシート１１２と下部ビニールシート１１４との間に一つ以上配置される。ここで、間隔維持部材２２０は、図３及び図４に示されているように、シート部材１１０の長手方向に沿って形成されるか、またはシート部材１１０の幅方向に沿って形成されることができる。
【００３３】
このような間隔維持部材２２０は、上部及び下部ビニールシート１１２，１１４と同一の材質で製作され、図示されているように垂直の膜状を有しながら延び、間隔維持部材２２０の上部は上部ビニールシート１１２の下部面上に接合され、間隔維持部材２２０の下部は下部ビニールシート１１４の上部面上に接合される。この時、間隔維持部材２２０には間隔維持部材２２０の長手方向に沿って多数の貫通孔２２２が形成される。
【００３４】
そして、いずれか一つの間隔維持部材２２０に形成された貫通孔２２２と隣に配置される他の間隔維持部材２２０に形成された貫通孔２２２とは、互い違いに形成される。望ましくは、間隔維持部材２２０は、通常の熱融着方法、または通常の接着剤によって上部ビニールシート１１２及び下部ビニールシート１１４に接合される。
【００３５】
上述のように形成された本発明の第１実施例及び第２実施例によるビニールハウス用二重ビニールシート１００，２００は、底面に固定支持されたビニールハウス用骨組Ｆ（図３参照）に通常の方法で被覆され、そしてビニールハウス用骨組Ｆに被覆されたビニールハウス用二重ビニールシート１００，２００の注入チューブ１１８を通して外部空気を注入した後、注入チューブ１１８を通常の方法で塞ぐか縛ってシート部材１１０の内部に空気層１１６を形成するが、この時、間隔維持部材１２０，２２０は、シート部材１１０全般にわたって空気層１１６の高さを同一に維持する。
【００３６】
また、ビニールハウス用骨組Ｆに被覆されたいずれか一つの二重ビニールシート１００，２００の空気層１１６と隣の他の二重ビニールシート１００，２００の空気層１１６とは、通常の方法によって互いに連結されるように被覆される。即ち、いずれか一つの二重ビニールシート１００，２００の接合された縁の一部分と隣の他の二重ビニールシート１００，２００の接合された縁の一部分を分離させた後、分離された部分が互いに連結されるように突き合わせてシールすることにより、いずれか一つの二重ビニールシート１００，２００と隣の他の二重ビニールシート１００，２００とは互いに連結されるように被覆される。
【００３７】
このように形成された本発明の第１実施例及び第２実施例によるビニールハウス用二重ビニールシート１００，２００は、シート部材１１０の内部に密閉された空気層１１６を形成すると共に、形成されるシート部材１１０の内部に間隔維持部材１２０，２２０を備えることにより、シート部材１１０全般にわたって空気層１１６の高さを均一に維持できるばかりか、それによりシート部材１１０全般にわたって同一の保温及び断熱効果が得られるようになる。
【００３８】
また、本発明によるビニールハウス用二重ビニールシート１００は、シート部材１１０に暖かい空気を注入して空気層１１６を形成することができるため、冬季に本発明による二重ビニールシート１００に積もった雪を容易に除去することができる。
【００３９】
上記のようなビニールハウス用二重ビニールシート１００，２００は、上記で説明された実施例の構成と作動方式に限定されるものではない。上記実施例は、各実施例の全部または一部の選択的な組み合わせにより多様な変形が可能なように構成されることもできる。
【符号の説明】
【００４０】
１００，２００：ビニールハウス用二重ビニールシート
１１０：シート部材
１１２：上部ビニールシート
１１４：下部ビニールシート
１１６：空気層
１１８：注入チューブ
１２０，２２０：間隔維持部材
【図１】
2016517688.tif 000003
【図２】
2016517688.tif 000004
【図３】
2016517688.tif 000005
【図４】
2016517688.tif 000006
【図５】
2016517688.tif 000007
【国際調査報告】
2016517688.tif 000008
2016517688.tif 000009
2016517688.tif 000010
2016517688.tif 000011